(57)【要約】【課題】釣り合いおもりの大型化に対応できるエレベータ装置を提供する。【解決手段】昇降路５内に配置されてかご吊りシーブ２ａ、おもり吊りシーブ３ａをそれぞれ有した乗りかご２および釣り合いおもり３と、この釣り合いおもり３よりも上側の前記昇降路５に設けられた昇降路吊りシーブ１１と、昇降路５上部に設けられた第１、第２上部シーブ９、１２と、これら第１、第２上部シーブ９、１２に掛けられ、一端が乗りかご２のかご吊りシーブ２ａを介して昇降路５上部で固定されると共に、他端が釣り合いおもり３のおもり吊りシーブ３ａおよび昇降路吊りシーブ１１を順次介して釣り合いおもり３に固定されている主ロープ４とを備えている。【選択図】　　　図１
2004075270.tif 000002
【特許請求の範囲】
【請求項１】
昇降路内に昇降自在に設けられ、且つかご吊りシーブを有する乗りかごと、
前記昇降路内の、前記乗りかごが昇降するかご昇降空間の側方を昇降自在に設けられ、且つおもり吊りシーブを有する釣り合いおもりと、
前記釣り合いおもりのおもり昇降空間の上方位置に設けられた昇降路吊りシーブと、
前記おもり昇降空間の上部近傍に設けられた一対の上部シーブと、
前記昇降路内の前記かご昇降空間および前記おもり昇降空間以外の空間に配置され、前記一対の上部シーブより下方に位置する駆動シーブを有する巻上機と、
前記かご吊りシーブに掛けられた一方側の端部が前記昇降路上部で固定され、前記かご吊りシーブに掛けられた他方側が、順次、一方の前記上部シーブ、前記駆動シーブ、他方の前記上部シーブ、前記おもり吊りシーブ、前記昇降路吊りシーブを経由し、他方側の端部が前記釣り合いおもりに固定された主ロープと、
を備えていることを特徴とするエレベータ装置。
【請求項２】
昇降路内に昇降自在に設けられ、且つかご吊りシーブを有する乗りかごと、
前記昇降路内の、前記乗りかごが昇降するかご昇降空間の側方を昇降自在に設けられ、且つ複数のおもり吊りシーブを有する釣り合いおもりと、
前記釣り合いおもりのおもり昇降空間の上方位置に設けられた、複数の昇降路吊りシーブと、
前記おもり昇降空間の上方に設けられた一対の上部シーブと、
前記昇降路内の前記かご昇降空間および前記おもり昇降空間以外の空間に配置され、前記一対の上部シーブより下方に位置する駆動シーブを有する巻上機と、
前記かご吊りシーブに掛けれた一方側の端部が前記昇降路上部で固定され、前記かご吊りシーブに掛けられた他方側が、順次、一方の前記上部シーブ、前記駆動シーブ、他方の前記上部シーブを経由して、前記おもり吊りシーブと前記昇降路吊りシーブとに交互に掛けられて、他方側の端部が前記釣り合いおもりに固定された主ロープと、
を備えていることを特徴とするエレベータ装置。
【請求項３】
前記かご吊りシーブは、前記乗りかごの底面の幅方向の一方側に設けられた第１かご吊りシーブと、前記底面の他方側に設けられた第２かご吊りシーブとを備え、前記第１かご吊りシーブに掛けられた前記主ロープの一方側の端部が前記昇降路の上部で固定されていることを特徴とする請求項１または請求項２に記載されたエレベータ装置。
【請求項４】
前記おもり昇降空間は、前記乗りかごの幅方向の一方側に位置することを特徴とする請求項１乃至請求項３のいずれか一項に記載されたエレベータ装置。
【請求項５】
前記おもり昇降空間は、前記乗りかごのかごドアと反対側に位置することを特徴とする請求項１乃至請求項４のいずれか一項に記載されたエレベータ装置。
【請求項６】
前記昇降路の上部で、前記第２かご吊りシーブの上方位置に、転向シーブが配置され、前記第２かご吊りシーブと一方の前記上部シーブとで、前記主ロープが前記乗りかごの前記かごドアと反対側の空間へ亘って掛け渡されていることを特徴とする請求項５記載のエレベータ装置。
【発明の詳細な説明】
【０００１】
【発明の属する技術分野】
本発明は、乗りかごと釣り合いおもりとが主ロープにより昇降路内に吊り下げられて配置され、乗りかごが釣り合いおもりと相対的に昇降する、マシンルームレスのエレベータ装置に関する。
【０００２】
【従来の技術】
従来、この種のエレベータ装置としては、例えば、図１３および図１４に示すようなものがある。図１３および図１４に示すように、エレベータ装置１００は、昇降路１０１内に配置されて吊りシーブ１０２ａ，１０３ａをそれぞれ有した乗りかご１０２および釣り合いおもり１０３と、昇降路１０１上部に設けられた上部シーブ１０４と、上部シーブ１０４に巻き掛けられると共に、両端が乗りかご１０２および釣り合いおもり１０３の吊りシーブ１０２ａ，１０３ａを介してそれぞれ昇降路１０１上部で固定されている主ロープ１０５とを備えている。したがって、エレベータ装置１００は、乗りかご１０２と釣り合いおもり１０３とが主ロープ１０５により昇降路１０１内に吊り下げられている。
【０００３】
このエレベータ装置１００では、主ロープ１０５が上部シーブ１０４と乗りかご１０２の吊りシーブ１０２ａとの間で昇降路１０１下部に設置された巻上機１０６の駆動シーブ１０６ａおよび昇降路１０１上部に配置された転向シーブ１０７を順次介している。これによりエレベータ装置１００は、巻上機１０６の駆動力により主ロープ１０５を介して乗りかご１０２と釣り合いおもり１０３とが相対的に上下に昇降するようになっている。
【０００４】
このようなエレベータ装置１００では、図１３に示すように、乗りかご１０２、釣り合いおもり１０３、それらのガイドレール１０８ａ，１０８ｂ、巻上機１０６、上部シーブ１０４や転向シーブ１０７が、垂直投影がそれぞれ重ならないように配置されており、昇降路１０１高を大きくすることがないマシンルームレスのエレベータ装置１００を実現している。
【０００５】
【発明が解決しようとする課題】
ところで、上記した従来のエレベータ装置１００では、上部シーブ１０４からの主ロープ１０５の両端がそれぞれ乗りかご１０２の吊りシーブ１０２ａおよび釣り合いおもり１０３の吊りシーブ１０３ａを介して昇降路１０１上部で固定されているため、乗りかご１０２の昇降路１０１内での昇降ストロークと釣り合いおもり１０３の昇降ストロークとが略同一となっている。つまり、エレベータ装置１００では、乗りかご１０２と共に釣り合いおもり１０３の昇降ストロークが昇降路１０１の略全高分となっている。このため、エレベータ装置１００では、釣り合いおもり１０３の重量を変更する場合、その釣り合いおもり１０３を垂直投影が他と重ならないように変更が行われる。
【０００６】
したがって、エレベータ装置１００では、乗りかご１０２、釣り合いおもり１０３、それらのガイドレール１０８ａ，１０８ｂ、巻上機１０６、上部シーブ１０４や転向シーブ１０７が、垂直投影がそれぞれ重ならないように配置されるので、大型化した釣り合いおもり１０３の大きさによってはガイドレール１０８ａ，１０８ｂ、巻上機１０６、上部シーブ１０４、転向シーブ１０７などを配置するための充分なスペースを確保することができないことがある。
【０００７】
このようにガイドレール１０８ａ，１０８ｂ、巻上機１０６、上部シーブ１０４、転向シーブ１０７などを配置するための充分なスペースを確保することができないと、昇降路１０１内での乗りかご１０２の主ロープ１０５による吊り下げ位置や乗りかご１０２の昇降を案内するガイドレール１０８ｂの配置位置などの関係から、乗りかご１０２の昇降時の姿勢が不安定となるおそれがあった。したがって、エレベータ装置１００では釣り合いおもり１０３の大型化に対応できないという問題があった。
【０００８】
そこで、本発明は、上記従来の課題を考慮してなされたものであり、小さな釣り合いおもりで乗りかごの大型化に対応することができるマシンルームレスのエレベータ装置の提供を目的とする。
【０００９】
【課題を解決するための手段】
上記目的を達成するために本発明の第１の特徴は、昇降路内に昇降自在に設けられ、且つかご吊りシーブを有する乗りかごと、前記昇降路内の、前記乗りかごが昇降するかご昇降空間の側方を昇降自在に設けられ、且つおもり吊りシーブを有する釣り合いおもりと、前記釣り合いおもりのおもり昇降空間の上方位置に設けられた昇降路吊りシーブと、前記おもり昇降空間の上部近傍に設けられた一対の上部シーブと、前記昇降路内の前記かご昇降空間および前記おもり昇降空間以外の空間に配置され、前記一対の上部シーブより下方に位置する駆動シーブを有する巻上機と、前記かご吊りシーブに掛けられた一方側の端部が前記昇降路上部で固定され、前記かご吊りシーブに掛けられた他方側が、順次、一方の前記上部シーブ、前記駆動シーブ、他方の前記上部シーブ、前記おもり吊りシーブ、前記昇降路吊りシーブを経由し、他方側の端部が前記釣り合いおもりに固定された主ロープと、を備えていることを要旨とする。
【００１０】
このように構成された本発明では、主ロープが、昇降路上部の上部シーブに掛けられ、一端を乗りかごのかご吊りシーブを介して昇降路上部で固定されると共に、他端を釣り合いおもりのおもり吊りシーブおよび釣り合いおもりよりも上側の昇降路吊りシーブを順次介して釣り合いおもりに固定されているため、釣り合いおもりの昇降ストロークが乗りかごの昇降ストロークに対して半分となり、釣り合いおもりの上側または下側の垂直投影部分に釣り合いおもりが昇降しない空いたスペースを確保することができる。このため、釣り合いおもりを上下方向に大きさを変更することで上部シーブなどの配置位置を変更することなく大型化することができる。
【００１１】
また、この発明では、釣り合いおもりの上側または下側の垂直投影部分に釣り合いおもりが昇降しない空いたスペースを確保することができるため、釣り合いおもりの垂直投影の大きさを変えるように大型化しても、上部シーブなどを配置するための充分なスペースを確保することができ、乗りかごの昇降時の姿勢が不安定となるような不具合を防止することができる。
【００１２】
本発明の第２の特徴は、昇降路内に昇降自在に設けられ、且つかご吊りシーブを有する乗りかごと、前記昇降路内の、前記乗りかごが昇降するかご昇降空間の側方を昇降自在に設けられ、且つ複数のおもり吊りシーブを有する釣り合いおもりと、前記釣り合いおもりのおもり昇降空間の上方位置に設けられた、複数の昇降路吊りシーブと、前記おもり昇降空間の上方に設けられた一対の上部シーブと、前記昇降路内の前記かご昇降空間および前記おもり昇降空間以外の空間に配置され、前記一対の上部シーブより下方に位置する駆動シーブを有する巻上機と、前記かご吊りシーブに掛けれた一方側の端部が前記昇降路上部で固定され、前記かご吊りシーブに掛けられた他方側が、順次、一方の前記上部シーブ、前記駆動シーブ、他方の前記上部シーブを経由して、前記おもり吊りシーブと前記昇降路吊りシーブとに交互に掛けられて、他方側の端部が前記釣り合いおもりに固定された主ロープと、を備えていることを要旨とする。
【００１３】
この第２の特徴に係る発明では、釣り合いおもりが、複数のおもり吊りシーブを有すると共に、複数の昇降路吊りシーブが設けられており、おもり吊りシーブと昇降路吊りシーブとに主ロープが交互に掛けられて、主ロープの他方側の端部が釣り合いおもりに固定された構成であるため、釣り合いおもりの昇降ストロークが乗りかごの昇降ストロークに対して半分よりも短くなり、釣り合いおもりの上側または下側の垂直投影部分に釣り合いおもりが昇降しない空いたスペースを確保することができる。このため、釣り合いおもりを上下方向に大きさを変更することで上部シーブなどの配置位置を変更することなく大型化することができる。
【００１４】
【発明の実施の形態】
以下、本発明にかかるエレベータ装置の詳細について図面に示す実施の形態に基づいて説明する。
【００１５】
本発明のエレベータ装置は、昇降路内に昇降自在に設けられ、且つかご吊りシーブを有する乗りかごと、その昇降路内の、乗りかごが昇降する空間の側方を昇降自在に設けられ、且つおもり吊りシーブを有する釣り合いおもりと、昇降路上部の、釣り合いおもりの上方位置に設けられた昇降路吊りシーブと、昇降路上部に設けられた上部シーブと、この上部シーブに掛けられ、一端が乗りかごのかご吊りシーブを介して昇降路上部で固定されると共に、他端が釣り合いおもりのおもり吊りシーブおよび昇降路吊りシーブを順次介して釣り合いおもりに固定されている主ロープとを備えて構成されている。なお、上部シーブやおもり吊りシーブは、複数であってもよい。
【００１６】
（実施形態１）
図１は本発明にかかるエレベータ装置の実施形態１を示す斜視図、図２は図１に示すエレベータ装置の平面図、図３は図１に示すエレベータ装置の側面図である。
【００１７】
本実施形態のエレベータ装置１は、図１に示すように、乗りかご２と、釣り合いおもり３と、これら乗りかご２及び釣り合いおもり３を吊り下げる主ロープ４とを備えている。主ロープ４は、昇降路５内に配置された巻上機６で走向駆動されるようになっている。すなわち、エレベータ装置１は、乗りかご２と釣り合いおもり３とが、巻上機６の駆動力により昇降路５内のかご昇降空間とその側方に位置するおもり昇降空間で互いに逆の方向に昇降するようになっている。
【００１８】
図１に示すように、乗りかご２は昇降路５内に対向して上下に沿って設置された一対のガイドレール７ａ、７ｂ間に配置され、両側に設けられた図示しないのガイドシューがそれぞれガイドレール７ａ、７ｂにスライド自在に係合している。この乗りかご２は、図１および図２に示すように、下面両側に第１、第２かご吊りシーブ２ａ、２ｂが配置されている。これら一対の第１、第２かご吊りシーブ２ａ、２ｂに掛け渡される主ロープ４は、乗りかご２の下面の中心を通るように設定されている。
【００１９】
また、図１に示すように、乗りかご２のガイドレール７ａにはその上端部に後述する主ロープ４の一端を固定するためのロープヒッチ８ａが設けられている。ガイドレール７ｂの上端部には、第１上部シーブ９が設けられている。その第１上部シーブ９は、図２に示すように、乗りかご２の第２かご吊りシーブ２ｂに主ロープ４がローピングされている。
【００２０】
一方、釣り合いおもり３は、図２に示すように、乗りかご２の側面２ｃと昇降路５の壁面５ａとで挟まれた空間に配置されている。この釣り合いおもり３は、乗りかご２と同様に、昇降路５内のおもり昇降空間を挟んで対向して上下に沿って設置された一対のガイドレール１０ａ、１０ｂ間に配置され、両側に設けられた図示しないガイドシューがそれぞれガイドレール１０ａ、１０ｂにスライド自在に係合している。また、釣り合いおもり３の上面には、図１〜図３に示すように、乗りかご２の側面２ｃに沿っている幅方向の一側におもり吊りシーブ３ａが軸支されている。また、釣り合いおもり３の上面における幅方向の他側には、主ロープ４の他端を固定するためのロープヒッチ８ｂが設けられている。
【００２１】
また、昇降路５の上部における釣り合いおもり３のおもり昇降空間の真上には、図３に示すように、昇降路吊りシーブ１１が天井壁面３０に軸支されている。この昇降路吊りシーブ１１は、図２に示すように、釣り合いおもり３のおもり昇降空間の上方に、回転軸が乗りかご２の側面２ｃに直角をなすように、配置されている。そして、昇降路吊りシーブ１１は、垂直投影したときに、一側がロープヒッチ８ｂの垂直投影の中心に接し、かつ垂直投影の他側が釣り合いおもり３のおもり吊りシーブ３ａの垂直投影の一側と近接している。
【００２２】
また、釣り合いおもり３のガイドレール１０ｂには、図１〜図３に示すように、その上端部に第１上部シーブ９に対向するように（回転軸同士が同方向に沿って配置されて平行をなすように）第２の上部シーブ１２が軸支されている。この第２上部シーブ１２は、昇降路５上部における、第１上部シーブ９と略同程度の高さ位置に設けられている。この第２上部シーブ１２は、乗りかご２の側面２ｃに沿っており、垂直投影の一側が釣り合いおもり３のおもり吊りシーブ３ａの垂直投影の他側と近接している。
【００２３】
このような乗りかご２および釣り合いおもり３は、主ロープ４を介して巻上機６に連動されるようになっている。巻上機６は、乗りかご２の側面２ｃ他側と昇降路５の壁面５ａとの間の空間に固定されている。この巻上機６は、第１および第２上部シーブ９、１２に対して下方で、かつ乗りかご２および釣り合いおもり３と垂直投影が重ならないように配置されている。そして、巻上機６は、自身の駆動力により回転駆動される駆動シーブ６ａを有している。駆動シーブ６ａの回転軸は、第１および第２上部シーブ９、１２の回転軸に略直交し、垂直投影のシーブ両側が第１および第２上部シーブ９、１２の垂直投影の他側とそれぞれ重なるように配置されている。なお、この巻上機６は、制御盤１３により駆動が制御されている。
【００２４】
制御盤１３は、図１〜図３に示すように、乗りかご２の側面２ｃ他側と昇降路５の壁面５ａとの間の空間に固定され、巻上機６の上方近傍に配置されている。この制御盤１３は、図示しない配線により巻上機６に電気的に接続されており、その巻上機６を制御するための制御信号を出力するようになっている。
【００２５】
また、主ロープ４は、図１に示すように、乗りかご２側のガイドレール７ａ上端部のロープヒッチ８ａに一端が固定され、そこから乗りかご２の下側に下降して、乗りかご２の一対の第１、第２かご吊りシーブ２ａ、２ｂを介してから上昇する。そして、図１および図２に示すように、主ロープ４は、第１上部シーブ９を回って巻上機６の駆動シーブ６ａに下降する。駆動シーブ６ａの下側を廻った主ロープ４は、上昇して第２上部シーブ１２の上側を回って下降し、釣り合いおもり３のおもり吊りシーブ３ａの下側を廻ってから昇降路吊りシーブ１１に上昇する。そして、主ロープ４は、昇降路吊りシーブ１１の上側を廻って下降して釣り合いおもり３のロープヒッチ８ｂに他端が固定されている。
【００２６】
したがって、エレベータ装置１においては、主ロープ４の一端側は巻上機６の駆動シーブ６ａから昇降路５上部の第１の上部シーブ９に掛けられ、乗りかご２のかご吊りシーブ２ａを介して昇降路５上部で固定されている。また、主ロープ４の他端側は、駆動シーブ６ａから第２上部シーブに掛けられ、釣り合いおもり３のおもり吊りシーブ３ａおよび昇降路吊りシーブ１１を順次介して釣り合いおもり３に固定されている。このため、エレベータ装置１では、例えば、巻上機６の駆動シーブ６ａにより釣り合いおもり３側の主ロープ４を所望長さ巻き取って乗りかご２側に繰り出した場合、乗りかご２の下降量に対してその乗りかご２と相対的に昇降する釣り合いおもり３の上昇量を半分にすることができる。
【００２７】
すなわち、このエレベータ装置１では、主ロープ４の、釣り合いおもり３に固定された端部から昇降路吊りシーブ１１へ向かう部分と、昇降路吊りシーブ１１からおもり吊りシーブ３ａへ向かう部分と、おもり吊りシーブ３ａから第２上部シーブ１２へ向かう部分との３本の部分が並行に配置されているため、釣り合いおもり３の昇降ストロークが、乗りかご２の昇降ストロークに対して半分となる。つまり、釣り合いおもり３のストロークは、昇降路５全高分の半分で済み、その釣り合いおもり３の下側の垂直投影部分に釣り合いおもり３が昇降しない空いたスペースを確保することができる。なお、本実施形態では、釣り合いおもり３のおもり昇降空間の下方に空いたスペースが存在するが、上記したように釣り合いおもり３の昇降ストロークが半分で済むため、釣り合いおもり３のおもり昇降空間を昇降路５の下部に設定して、おもり昇降空間の上方に空いたスペースが存在するように設定してもよい。
【００２８】
このため、エレベータ装置１では、釣り合いおもり３を上下方向に大きさを変更することで、第１および第２上部シーブ９、１２、巻上機６、ガイドレール７ａ、７ｂなどの配置位置を変更することなく釣り合いおもり３の大型化に対応することができる。
【００２９】
また、本実施形態に係るエレベータ装置１では、釣り合いおもり３の下側（または上側）の垂直投影部分に釣り合いおもり３が昇降しない空いたスペースを確保することができるため、釣り合いおもり３の垂直投影の大きさを変える（幅寸法を長くする）ように大型化しても、第１および第２上部シーブ９、１２、巻上機６および制御盤１３などを配置するための充分なスペースを確保することができ、乗りかご２の昇降時の姿勢が不安定となるような不具合を防止することができる。
【００３０】
つまり、このエレベータ装置１では、第１および第２上部シーブ９、１２、巻上機６などの配置位置を、ガイドレール７ａ、７ｂの配置位置に応じて釣り合いおもり３が昇降しない空いたスペース内で変更することにより、乗りかご２の昇降時の姿勢を安定させることができる。この結果、エレベータ装置１では、乗りかご２の大型化及びそれに伴う釣り合いおもり３の大型化に対応することができる。
【００３１】
また、このエレベータ装置１では、第１および第２上部シーブ９、１２、巻上機６、ガイドレール７ａ、７ｂなどの配置位置を変更することなく、または配置するための充分なスペースを確保して釣り合いおもり３の大型化に対応することができるため、巻上機６の近傍に制御盤１３を常に配置することができ、制御盤１３による巻上機６の制御にノイズが影響するような不具合を確実に防止することができる。
【００３２】
さらに、このようなエレベータ装置１では、巻上機６の配置位置の自由度が向上するため、昇降路５の上にマシンルームを設けること必要がなくなる。また、その巻上機６を駆動シーブ６ａとの間に主ロープ４が配されている第１および第２上部シーブ９、１２に対して直交して配置するなどし、主ロープ４がねじれるなどの不具合をも確実に防止することができる。
【００３３】
また、本実施形態に係るエレベータ装置１では、第１、第２上部シーブ９、１２に渡される主ロープ４が駆動シーブ６ａの下側に掛けられるため、乗りかご２と釣り合いおもり３とによって生じるテンションにより駆動シーブ６ａの回転駆動力を主ロープ４へ確実に伝達することができる。
【００３４】
（実施形態２）
図４〜図６は、本発明に係るエレベータ装置の実施形態２を示している。図４は実施形態２に係るエレベータ装置を示す平面図、図５は図４に示すエレベータ装置を矢印ａ方向（乗りかご２の幅方向の一方側）から見た側面図、図６は図４に示すエレベータ装置を矢印ｂ方向（乗りかご２の後方側）から見た側面図である。なお、本実施形態において、上記した実施形態１と同一部分には、同一の符号を付してその説明を省略する。
【００３５】
エレベータ装置１４は、図４に示すように、乗りかご２の乗降口と反対側の背面２ｄと昇降路５の図示しない壁面との間の空間に釣り合いおもり３を配置したものである。このエレベータ装置１４では、図４および図５に示すように、昇降路５上部における乗りかご２の第２かご吊りシーブ２ｂの上方位置に主ロープ４が掛けられる転向シーブ１５が設けられている。すなわち、この転向シーブ１５は、乗りかご２の側面２ｃと昇降路５の図示しない壁面との間の空間に設けられている。そして、この転向シーブ１５の垂直投影の端部と乗りかご２のかご吊りシーブ２ａの端部とは垂直投影した場合に近接した位置に配されている。その転向シーブ１５からの主ロープ４は、昇降路５上部の図示しない壁面に沿って後方位置（コーナー部）に設けられた、第１上部シーブ９の上側に掛けられ下降して巻上機６の駆動シーブ６ａに掛けられている。そして、駆動シーブ６ａに掛けられた主ロープ４は、第１上部シーブ９と同程度の高さ位置に配置された第２上部シーブ１２に上側から掛けられている。
【００３６】
第１上部シーブ９は、乗りかご２の側面２ｃの背面２ｄ側の端部と昇降路５壁面との間で転向シーブ１５と略同一の上下方向位置に配置され、その回転軸は、乗りかご２の側面２ｃに略直角をなしている。また、第２上部シーブ１２は、昇降路５上部の第１上部シーブ９より後方側にその回転軸が第１上部シーブ９の回転軸と略直角をなすように設定されている。
【００３７】
また、釣り合いおもり３は、図４および図６に示すように、乗りかご２の背面２ｄの幅方向の一側と昇降路５の壁面との間に、上記した実施形態１の釣り合いおもり３と左右を逆にして配置されている。そして、釣り合いおもり３の上方空間には、乗りかご２の幅方向に沿って第１、第２昇降路吊りシーブ１１Ａ、１１Ｂが軸支されている。なお、図示しないが、第１昇降路吊りシーブ１１Ａは、釣り合いおもり３のガイドレール１０ｂの上端に軸支されている。
【００３８】
このような乗りかご２および釣り合いおもり３を主ロープ４を介して連結する巻上機６は、乗りかご２の背面２ｄ他側と昇降路５壁面との間で固定され、乗りかご２および釣り合いおもり３と垂直投影が重ならないように配置されている。この巻上機６の駆動シーブ６ａの回転軸は、第１上部シーブ９の回転軸と平行をなし、第２上部シーブ１２の回転軸に略直交し、垂直投影の両側が第１、第２上部シーブ９、１２の垂直投影の端部とそれぞれ重なるように配置されている。また、巻上機６を制御する制御盤１３は、図６に示すように、乗りかご２の背面２ｄ一側と昇降路５壁面との間に固定され、巻上機６の上側近傍に配置されている。
【００３９】
主ロープ４は、図４に示すように、乗りかご２側のガイドレール７ａ上端部のロープヒッチ８ａ（図示省略する）に一端が固定され、そこから乗りかご２の下側に下降して、乗りかご２の一対の第１、第２かご吊りシーブ２ａ、２ｂを介してから上昇する。そして、主ロープ４は、図５に示すように、転向シーブ１５及び第１上部シーブ９に掛けられて駆動シーブ６ａに下降する。駆動シーブ６ａからの主ロープ４は、図６に示すように、上昇して第２上部シーブ１２から第１昇降路吊りシーブ１１Ａを回って下降し、釣り合いおもり３のおもり吊りシーブ３ａを介してから第２昇降路吊りシーブ１１Ｂに上昇する。そして、主ロープ４は、第２昇降路吊りシーブ１１Ｂから下降して釣り合いおもり３のロープヒッチ８ｂに他端が固定される。
【００４０】
このような構成の実施形態２のエレベータ装置１４においても、釣り合いおもり３の昇降ストロークが乗りかご２の半分となるため、機器配置の自由度を向上することができる。
【００４１】
また、本実施形態２のエレベータ装置１４では、上記した実施形態１と同様に、巻上機６の配置位置の自由度が向上するため、昇降路５の上にマシンルームを設けること必要がなくなる。
【００４２】
（実施形態３）
図７〜図９は、本発明に係るエレベータ装置の実施形態３を示している。図７は実施形態３に係るエレベータ装置を示す平面図、図８は図７に示すエレベータ装置を矢印ｃ方向から見た側面図、図９は図７に示すエレベータ装置を矢印ｄ方向から見た側面図である。
【００４３】
本実施実施形態３のエレベータ装置１９では、図７に示すように、乗りかご２の背面２ｄと昇降路５の図示しない壁面との間に釣り合いおもり２０を配置している。その釣り合いおもり２０は、垂直投影が、乗りかご２の背面２ｄと昇降路５の壁面との間の略全域に亘っている。
【００４４】
このエレベータ装置１９では、図７および図８に示すように、乗りかご２の第２かご吊りシーブ２ｂとの間に主ロープ４が配されている第１転向シーブ２１が、乗りかご２の側面２ｃと対向する昇降路５の壁部側に設けられている。この第１転向シーブ２１の垂直投影の端部は、乗りかご２の第２かご吊りシーブ２ｂの垂直投影の端部と近接している。その第１転向シーブ２１からの主ロープ４が、第２転向シーブ２２および第１上部シーブ２３を順次介して巻上機６の駆動シーブ６ａに掛けられる。
【００４５】
第２転向シーブ２２は、乗りかご２の側面２ｃの背面２ｄ側の端部と昇降路５壁面との間の空間で第１転向シーブ２１よりも下側に配置され、その回転軸が乗りかご２の側面２ｃに対して直角をなすように配置されている。また、第１上部シーブ２３は、乗りかご２の背面２ｄの側面２ｃ側の端部と昇降路５壁面との間の空間で第１転向シーブ２１と略同一の上下方向位置に配置され、その回転軸が乗りかご２の背面２ｄに直角になるように配置されている。この第１上部シーブ２３は、図７に示すように、垂直投影の一側が第２転向シーブ２２の垂直投影の端部に重なっている。
【００４６】
また、釣り合いおもり２０は、図７および図９に示すように、上述したように乗りかご２の背面２ｄと昇降路５の壁面との間に配置されると共に、その垂直投影が乗りかご２の背面２ｄと昇降路５の壁面との間の略全域とされている。この釣り合いおもり２０は、上面における乗りかご２の背面２ｄに沿っている幅方向の一側端部、および他側端部に対して若干中央寄りの位置におもり吊りシーブ２０ａがそれぞれ軸支されていると共に、他側端部に主ロープ４の他端を固定するためのロープヒッチ８ｂが設けられている。
【００４７】
この釣り合いおもり２０の上方に軸支されている昇降路吊りシーブ２４は、その回転軸が乗りかご２の背面２ｄに直角をなすように配置されており、垂直投影の一側がロープヒッチ８ｂの垂直投影の中心に接し、かつ垂直投影の他側が釣り合いおもり２０の一方のおもり吊りシーブ２０ａの垂直投影の一側と近接している。
【００４８】
また、釣り合いおもり２０の他方のおもり吊りシーブ２０ａの垂直投影上には第２上部シーブ２５が軸支されている。この第２上部シーブ２５は、第１転向シーブ２１、昇降路吊りシーブ２４および第１上部シーブ２３と略同一の上下方向位置の昇降路５上部に設けられ、第１上部シーブ２３に対向するように裏面側に配置されている。
【００４９】
このような乗りかご２および釣り合いおもり３は、主ロープ４を介して巻上機６に連動するようになっている。巻上機６は、乗りかご２の背面２ｄと昇降路５の壁面との間で、釣り合いおもり２０の上方に配置、固定されている。この巻上機６の駆動シーブ６ａの回転軸は、第１上部シーブ２３および第２上部シーブ２５の回転軸と略直角をなしている。そして、駆動シーブ６ａの垂直投影の両側が第１上部シーブ２３および第２上部シーブ２５の垂直投影の他側とそれぞれ重なるように配置されている。また、巻上機６を制御する制御盤１３は、乗りかご２の背面２ｄと昇降路５壁面との間に固定され、巻上機６の上側近傍に配置されている。
【００５０】
主ロープ４は、図７および図８に示すように、乗りかご２側のガイドレール７ａ上端部のロープヒッチ８ａ（図示省略する）に一端が固定され、そこから乗りかご２の下側に下降して、乗りかご２の一対の第１、第２かご吊りシーブ２ａ、２ｂを介してから上昇する。そして、主ロープ４は、第１転向シーブ２１を回って第２転向シーブ２２を介してから上昇し、第１上部シーブ２３を回って駆動シーブ６ａに下降する。駆動シーブ６ａからの主ロープ４は、図９に示すように、上昇して第２上部シーブ２５を回って下降し、釣り合いおもり２０の一対のおもり吊りシーブ２０ａを介してから昇降路吊りシーブ２４に上昇する。そして、主ロープ４は、昇降路吊りシーブ２４から下降して釣り合いおもり２０のロープヒッチ８ｂに他端が固定されている。
【００５１】
本実施形態３では、釣り合いおもり２０の幅寸法の自由度が高くなり、すなわち、乗りかご２の大型化に伴って、釣り合いおもり２０の大きさを自由に変えることができる。
【００５２】
（実施形態４）
図１０は本発明にかかるエレベータ装置の実施形態４を示す平面図、図１１は図１０に示すエレベータ装置の側面図である。
【００５３】
本実施形態４のエレベータ装置２６は、図１０に示すように、乗りかご２の側面２ｃと昇降路５の壁面との間の空間に釣り合いおもり３を配置したものである。このエレベータ装置２６では、図１０および図１１に示すように、上記した実施形態１のエレベータ装置１に対して、釣り合いおもり３および昇降路吊りシーブ１１の配置位置と巻上機６および制御盤１３との配置位置を左右対称に配置すると共に、第２上部シーブ１２を釣り合いおもり３の垂直投影上に配置し、かつ第２上部シーブ１２と巻上機６の駆動シーブ６ａとの間に大３上部シーブ２７を配置している。
【００５４】
第３上部シーブ２７は、第１上部シーブ９に並列にその裏側に配置され、第１上部シーブ９および昇降路吊りシーブ１１と略同一の上下方向位置の昇降路５上部に設けられている。この第３上部シーブ２７は、乗りかご２の側面２ｃに沿っており、垂直投影の端部が巻上機６の駆動シーブ６ａの垂直投影一側と重なっている。
【００５５】
そして、主ロープ４は、駆動シーブ６ａから上昇して第３上部シーブ２７から第２上部シーブ１２を回って下降し、釣り合いおもり３のおもり吊りシーブ３ａおよび昇降路吊りシーブ１１を順次介して釣り合いおもり３のロープヒッチ８ｂに他端が固定されている。
【００５６】
本実施形態４においては、上記した実施形態１と略同様の作用および効果を奏することができる。
【００５７】
以上、本発明にかかるエレベータ装置の各実施形態について説明したが、本発明はこれらに限定されるものではなく、構成の要旨に付随する各種の設計変更が可能である。例えば、上記した実施形態では、巻上機６からの主ロープ４が第１上部シーブ９、１６、２１および第２上部シーブ１２、２４を介して配されていたが、第１上部シーブ９、１６、２１および第２上部シーブ１２、２４のいずれか一方または双方を省略し、巻上機６の駆動シーブ６ａを上部シーブとして用いてもよい。
【００５８】
また、図１２に示すように、上記した実施形態１におけるおもり吊りシーブを釣り合いおもり３の上面の２箇所に設けると共に、２つの昇降路吊りシーブ３０、３１を設けることにより、釣り合いおもり３のストロークを更に短く設定してもよい。また、これらのおもり吊りシーブや昇降路吊りシーブは３つ以上としてもよい。
【００５９】
【発明の効果】
以上説明したように本発明によれば、釣り合いおもりの昇降ストロークが乗りかごの昇降ストロークに対して半分となり、釣り合いおもりの上側または下側の垂直投影部分に釣り合いおもりが昇降しない空いたスペースを確保することができる。このため、釣り合いおもりを上下方向に大きさを変更することで上部シーブなどの配置位置を変更することなく大型化することができる。
【００６０】
また、本発明によれば、釣り合いおもりの省略ストロークを半分にできるため、機器配置の自由度を向上することができる。
【００６１】
さらに、釣り合いおもりの上側または下側の垂直投影部分に釣り合いおもりが昇降しない空いたスペースを確保することができるため、釣り合いおもりの垂直投影の大きさを変えるように大型化しても、上部シーブなどを配置するための充分なスペースを確保することができ、乗りかごの昇降時の姿勢が不安定となるような不具合を防止することができる。この結果、乗りかごの大型化に伴って釣り合いおもりも大型化に対応させることができる。
【００６２】
また、本発明によれば、釣り合いおもりの昇降ストロークを半分以下に短くすることができる。
【図面の簡単な説明】
【図１】本発明にかかるエレベータ装置の実施形態１を示す斜視図。
【図２】図１に示すエレベータ装置の平面図。
【図３】図１に示すエレベータ装置の側面図。
【図４】本発明にかかるエレベータ装置の実施形態２を示す平面図。
【図５】図４に示すエレベータ装置を矢印ａ方向から見た側面図。
【図６】図４に示すエレベータ装置を矢印ｂ方向から見た側面図。
【図７】本発明にかかるエレベータ装置の実施形態３を示す平面図。
【図８】図７に示すエレベータ装置を矢印ｃ方向から見た側面図。
【図９】図７に示すエレベータ装置を矢印ｄ方向から見た側面図。
【図１０】本発明にかかるエレベータ装置の実施形態４を示す平面図。
【図１１】図１０に示すエレベータ装置の側面図。
【図１２】本発明に係る他の実施形態を示す側面図。
【図１３】従来のエレベータ装置を示す側面図。
【図１４】図１３に示す従来のエレベータ装置の平面図。
【符号の説明】
１　エレベータ装置
２　乗りかご
２ａ　第１かご吊りシーブ
２ｂ　第２かご吊りシーブ
３ａ　おもり吊りシーブ
３　釣り合いおもり
４　主ロープ
５　昇降路
９　第１上部シーブ
１１　昇降路吊りシーブ
１２　第２上部シーブ
【図１】
2004075270.tif 000003
【図２】
2004075270.tif 000004
【図３】
2004075270.tif 000005
【図４】
2004075270.tif 000006
【図５】
2004075270.tif 000007
【図６】
2004075270.tif 000008
【図７】
2004075270.tif 000009
【図８】
2004075270.tif 000010
【図９】
2004075270.tif 000011
【図１０】
2004075270.tif 000012
【図１１】
2004075270.tif 000013
【図１２】
2004075270.tif 000014
【図１３】
2004075270.tif 000015
【図１４】
2004075270.tif 000016